(57)【要約】【課題】多数の人が使用する便所に設置された男子用床置型小便器の周縁部の床面上に滴り落ちた尿を、迅速に乾燥させ、且つアンモニア臭気を消臭する。【解決手段】男子用床置型小便器１の尿受け壁部２に区画壁３を設けて上下二室に区画して、上方部を送風室４とすると共に、下方部を吸気室５とし、送風室４の前方の尿受け壁部２に多数の送風用小孔６を穿設し、且つ吸気室５の前方の尿受け壁部２に多数の吸気用小孔７が穿設され、更に、送風室４には送風通路１０の下流側が開口連通されると共に、送気口１１に電気ヒータ１２を備えた送風ファン１３を取付ける一方、前記吸気室７には、吸気通路１５の上流側が開口連通されると共に、前記吸気通路１５の排気口１６に、消臭部材を備えた吸気ファン１７を取付ける。【選択図】図１
2007138400.tif 000002
【特許請求の範囲】
【請求項１】
男子用床置型小便器の下面に設けられた尿受け壁部の中央に区画壁を設けて上下二室に区画して、該上下二室のうち、いずれか一方を送風室とすると共に、他方を吸気室とする一方、前記送風室の前方の尿受け壁部に多数の送風用小孔が穿設され、且つ前記吸気室の前方の尿受け壁部に多数の吸気用小孔が穿設され、更に、前記送風室には垂直壁部を貫通して設けられた送風通路の下流側が開口連通されると共に、該送風通路の上流側は適位置において前記垂直壁部を貫通して該垂直壁部外へ開口されて送気口とし、且つ該送気口に電気ヒータを備えた送風ファンを取付ける一方、前記吸気室には、垂直壁部を貫通して設けられた吸気通路の上流側が開口連通されると共に、該吸気通路は適位置において前記垂直壁部を貫通して該垂直壁部外へ開口されて排気口とし、且つ該排気口に消臭部材を備えた吸気ファンを取付けたことを特徴とする男子用床置型小便器における床面の乾燥・消臭装置。
【請求項２】
請求項１記載の男子用床置型小便器における床面の乾燥・消臭装置において、多数の送風用小孔および吸気用小孔に代えて、多数の送風用スリットおよび吸気用スリットを備えたことを特徴とする男子用床置型小便器における床面の乾燥・消臭装置。
【請求項３】
請求項１記載の男子用床置型小便器における床面の乾燥・消臭装置において、送気口に送風ファンのみを取付けたことを特徴とする男子用床置型小便器における床面の乾燥・消臭装置。
【発明の詳細な説明】
【技術分野】
【０００１】
本発明は、オフィスビル、デパート、劇場、ホテル等、多数の人が使用する便所、あるいは公衆便所に設置された男子用床置型小便器の周縁部の床面上に滴り落ちた尿を速やかに乾燥させると共に、アンモニア臭気を消臭することができる男子用床置型小便器における床面の乾燥・消臭装置に関するものである。
【背景技術】
【０００２】
従来、排尿中に男子用床置型小便器の周縁部の床面上に滴り落ちた尿によって濡れた床面は、家庭用の場合は、トイレットペーパー等により拭き取ることができるが、多数の人が使用するオフィスビル、デパート、劇場、ホテル等の便所や、公衆便所の場合、自然乾燥によって乾燥させる以外に方法はなく、更に、アンモニア臭気も全く除去することはできなかった。
【０００３】
そして、排尿中に男子用床置型小便器の周縁部の床面上に滴り落ちた尿の乾燥および消臭装置につき、過去の特許文献を遡及検索したところ、これらに関するものは皆無で、単に吸水紙を用いた尿の除去装置として、下記の特許文献が公知である。
【０００４】
【特許文献１】特開２００２−２１１６１号公報
【発明の開示】
【発明が解決しようとする課題】
【０００５】
前記従来のように、自然乾燥によって床置型小便器の周縁部の床面上に滴り落ちた尿を乾燥させると、便所内に蒸発により不快なアンモニア臭気を発散して不衛生であると共に、多数の人が使用する便所においては、ほとんど自然乾燥されず、不衛生であると共に、多数の人が床面上の尿を踏みつけて周囲に拡散して該床面を汚染し、見苦しく、且つ床面を変色させてしまうという課題があった。
【０００６】
また、前記特許文献１に記載のものは、床置型小便器の周縁部の床面上に滴り落ちた尿を吸水紙に吸収するようにしたものであるが、多数の人が使用する便所においては、直ぐに給水紙の吸水能力が限界となると共に、乾燥することなく、アンモニア臭気を発散し、更に、吸水紙は適宜取替えなければならず、手間がかかるという課題があった。
【０００７】
本発明は、前記課題を解決すべくなされたもので、オフィスビル、デパート、劇場、ホテル等、多数の人が使用する便所、あるいは公衆便所に設置された男子用床置型小便器の周縁部の床面上に滴り落ちた尿を、送風ファンからの温風を床面に噴射して迅速に乾燥させると共に、尿の乾燥に伴い発散するアンモニア臭気を吸引ファンで吸引して消臭部材で消臭することにより、男子用床置型小便器の周縁部の床面上の尿を乾燥させて除去すると共に、アンモニア臭気が便所内に篭るのを阻止し、合せて床面の汚染を防止して衛生的で清潔な状況を作り出し、更に、床面の変色をも防止することができる男子用床置型小便器における床面の乾燥・消臭装置を提供しようとするものである。
【課題を解決するための手段】
【０００８】
本発明は、男子用床置型小便器の下面に設けられた尿受け壁部の中央に区画壁を設けて上下二室に区画して、該上下二室のうち、いずれか一方を送風室とすると共に、他方を吸気室とする一方、前記送風室の前方の尿受け壁部に多数の送風用小孔が穿設され、且つ前記吸気室の前方の尿受け壁部に多数の吸気用小孔が穿設され、更に、前記送風室には垂直壁部を貫通して設けられた送風通路の下流側が開口連通されると共に、該送風通路の上流側は適位置において前記垂直壁部を貫通して該垂直壁部外へ開口されて送気口とし、且つ該送気口に電気ヒータを備えた送風ファンを取付ける一方、前記吸気室には、垂直壁部を貫通して設けられた吸気通路の上流側が開口連通されると共に、該吸気通路は適位置において前記垂直壁部を貫通して該垂直壁部外へ開口されて排気口とし、且つ該排気口に消臭部材を備えた吸気ファンを取付けるという手段を採用することにより、上記課題を解決した。
【発明の効果】
【０００９】
本発明は、オフィスビル、デパート、劇場、ホテル等において、多数の人が使用する便所、あるいは公衆便所に設置された男子用床置型小便器の前方周縁部の床面上に滴り落ちた尿を、送風ファンからの温風を床面に噴射して迅速に乾燥させると共に、尿の乾燥に伴い発散するアンモニア臭気を吸引ファンで吸引して消臭部材で消臭することにより、男子用床置型小便器の前方周縁部の床面上の尿を乾燥させて除去すると共に、アンモニア臭気が便所内に篭るのを阻止し、合せて床面の汚染を防止して衛生的で清潔な状況を作り出し、更に、床面の変色をも防止することができる。
【実施例】
【００１０】
本発明の実施例につき図面に基づいて詳細に説明する。本発明男子用床置型小便器における床面の乾燥・消臭装置は、多数の人が使用するオフィスビル、デパート、劇場、ホテル等における便所、あるいは公衆便所において設置される男子用床置型小便器１に予め組込まれるタイプのものである。
【００１１】
前記男子用床置型小便器１の下面に設けられた尿受け壁部２の中央に区画壁３を横設して、上下二室に区画して、上方部を送風室４とすると共に、下方部を吸気室５とする一方、前記送風室４の前方の尿受け壁部２には、多数の送風用小孔６が穿設され、且つ前記吸気室５の前方の尿受け壁部２には、多数の吸気用小孔７が穿設されている。
【００１２】
図１、図２においては、上下二室のうち、上方部を送風室４とすると共に、下方部を吸気室５としているが、逆に上方部を吸気室５とし、下方部を送風室４としてもよい（図示省略）。なお、前記送風用小孔７は、特に限定する必要はないが、好ましくは、男子用床置型小便器１に近接した床面８上に前記風を噴射できるように、やや下向きに傾斜して穿設することが推奨される。
【００１３】
前記多数の送風用小孔６および吸気用小孔７に代えて、図３、図４に示すように、多数の送風用スリット６ａおよび吸気用スリット７ａをそれぞれ設けてもよい。
【００１４】
前記送風室４には、前記男子用床置型小便器１の、一方の垂直壁部９内に貫通された送風通路１０の下流側が開口連通されると共に、該送風通路１０の上流側は、適位置において前記垂直壁部９を貫通して、該垂直壁部９外へ開口されて送気口１１を形成し、且つ該送気口１１に電気ヒータ１２を備えた送風ファン１３が取付けられていて、該送風ファン１３により、加熱された空気を送風通路１０を介して送風室４に圧送し、然る後、該送風室４内に圧送された空気を多数の送風用小孔６から床面８上に噴射して、該床面８上に滴り落ちた尿を迅速に乾燥させる。
【００１５】
なお、前記床面８上に噴射する空気は、前記のように送気口１１の送風ファン１３に電気ヒータ１２を備えることなく、送風ファン１３のみを備えても、前記電気ヒータ１２を備えたものに比して時間はかかるが、前記床面８上に滴り落ちた尿を乾燥させることは、可能である。
【００１６】
更に、前記吸気室５には、前記男子用床置型小便器１の、他方の垂直壁部１４内に貫通された吸気通路１５の上流側が開口連通されると共に、該吸気通路１５の下流側は、適位置において前記垂直壁部１４を貫通して、該垂直壁部１４外へ開口されて排気口１６を形成し、且つ該排気口１６に、アンモニア臭気を消臭するため、特に限定する必要はないが、好ましくは、消臭剤を添着したハニカム構造の消臭フィルタより成る消臭部材（図示せず）を備えた吸気ファン１７を取付ける。
【００１７】
前記送風ファン１３の駆動は、用をたした利用者が男子用床置型小便器１から離れたことをセンサー（図示せず）が検知すると洗浄水が流れるが、前記センサーの検知信号を受けて送風ファン１３が駆動を開始し、１分間等の予め設定された時間駆動して、送風室４からの空気の送風により床面８上に滴り落ちた尿を乾燥させ、前記設定時間の間駆動して送風ファン１３が停止すると、その停止信号を受けて、吸気ファン１７が駆動を開始して、１分間等の予め設定された時間駆動して、アンモニア臭気を吸気して、消臭部材に接触させて消臭するよう構成することが好ましい。
【図面の簡単な説明】
【００１８】
【図１】本発明男子用床置型小便器における床面の乾燥・消臭装置の斜視図である。
【図２】同送風室および吸気室部分の縦断面図である。
【図３】本発明男子用床置型小便器における床面の乾燥・消臭装置の他の実施例を示す斜視図である。
【図４】同送風室および吸気室部分の縦断面図である。
【符号の説明】
【００１９】
１  男子用床置型小便器
２  尿受け壁部
３  区画壁
４  送風室
５  吸気室
６  送風用小孔
６ａ  送風用スリット
７  吸気用小孔
７ａ  吸気用スリット
８  床面
１０  送風通路
１１  送気口
１２  電気ヒータ
１３  送風ファン
１５  吸気通路
１６  排気口
１７  吸気ファン
【図１】
2007138400.tif 000003
【図２】
2007138400.tif 000004
【図３】
2007138400.tif 000005
【図４】
2007138400.tif 000006